(57)【要約】      （修正有）【課題】大きな電流を摺動子と固定接点で開閉するとき、両者の間にアークが発生して消耗してしまう課題がる。この課題を解決して、耐久性および信頼性が高いスイッチを提供する。【解決手段】本発明のスイッチは、可動接点部が移動する間において、可動接点部の接触部１３ａｂが固定接点部の前面３ｈａと前面９ｅａとの境界に到達するタイミングと、可動接点部の接触部１３ｂｂが固定接点部の後面３ｈｂと後面９ｅｂとの境界に達するタイミングとが異なるように構成している。【選択図】図５
2018107025.tif 000002
【特許請求の範囲】
【請求項１】
開閉接点部と、
操作部材と、
前記操作部材によって操作されることにより移動するとともに、前記開閉接点部を挟む可動接点部とを備えるスイッチであって、
前記開閉接点部は、
前記可動接点部の移動方向に沿って並んで形成された、第１導通領域および第１絶縁領域を備える表面と、
前記移動方向に沿って並んで形成された、第２導通領域および第２絶縁領域を備える裏面とを備えており、
前記可動接点部は、前記表面を摺動する第１摺動部と、前記裏面を摺動する第２摺動部とを備えており、
前記可動接点部が移動する間において、前記第１摺動部が前記第１導通領域と前記第１絶縁領域との境界に到達するタイミングと、前記第２摺動部が前記第２導通領域と前記第２絶縁領域との境界に達するタイミングとが異なっていることを特徴とするスイッチ。
【請求項２】
前記移動方向において、前記第１導通領域と前記第１絶縁領域との境界の位置と、前記第２導通領域と前記第２絶縁領域との境界の位置とが異なっていることを特徴とする請求項１に記載のスイッチ。
【請求項３】
前記移動方向において、前記第１摺動部が前記表面を摺動する位置と、前記第２摺動部が前記裏面を摺動する位置とが異なっていることを特徴とする請求項１に記載のスイッチ。
【請求項４】
前記表面には、前記可動接点部が前記操作部材に操作されて初期位置から移動する方向へ向かって順に、第１導通領域および第１絶縁領域が形成されており、
前記裏面には、前記可動接点部が前記操作部材に操作されて初期位置から移動する方向へ向かって順に、第２導通領域および第２絶縁領域が形成されていることを特徴とする請求項１〜３のいずれか１項に記載のスイッチ。
【請求項５】
前記表面には、前記可動接点部が前記操作部材に操作されて初期位置から移動する方向へ向かって順に、第１絶縁領域および第１導通領域が形成されており、
前記裏面には、前記可動接点部が前記操作部材に操作されて初期位置から移動する方向へ向かって順に、第２絶縁領域および第２導通領域が形成されていることを特徴とする請求項１〜３のいずれか１項に記載のスイッチ。
【請求項６】
前記可動接点部は、互いに離れている複数の箇所において、前記表面に接触することを特徴とする請求項１〜５のいずれか１項に記載のスイッチ。
【請求項７】
前記可動接点部は、前記初期位置において、前記表面と乖離することを特徴とする請求項５に記載のスイッチ。
【請求項８】
前記開閉接点部は、前記可動接点部が前記初期位置から移動する方向とは逆方向に向かうにつれて、前記表面と前記裏面との間の距離が小さくなる形状となっていることを特徴とする請求項７に記載のスイッチ。
【発明の詳細な説明】
【技術分野】
【０００１】
本発明は、電流を開閉するスイッチに関する。
【背景技術】
【０００２】
従来、押圧操作をすることによって回路の開状態と閉状態とを切り替えるスイッチが知られている。このようなスイッチでは、導通領域と絶縁領域とを有する常閉固定接点（または常開固定接点）を備えている。そして、摺動子が、導通領域から絶縁領域（または絶縁領域から導通領域）へ摺動することによって閉状態から開状態（または開状態から閉状態）へ切り替えるようになっている。
【０００３】
しかしながら、このようなスイッチでは、特に大きな電流を開閉するために使用した場合、導通状態と絶縁状態とが切り替わる際に、摺動子と常閉固定接点（または常開固定接点）との間にアーク放電が発生する。アーク放電が発生すると、摺動子または常閉固定接点（または常開固定接点）が消耗してしまう。
【０００４】
この問題を解決するスイッチ装置が特許文献１に開示されている。特許文献１に開示されているスイッチ装置では、駆動部材の昇降移動に伴って共通固定接点と摺動する第１の接点部と、個別固定接点の第２の接触部および第３の接触部とそれぞれ接触する第２および第３の接点部とが形成された可動接点を備えており、可動接点を移動させた時に第２の接点部が第３の接点部よりも早く個別固定接点と接触する構成となっている。これにより、第２の接点部および第２の接点部はアーク放電により消耗することを防止するようになっており、接点の長寿命化が図れるようになっている。
【先行技術文献】
【特許文献】
【０００５】
【特許文献１】特開２００５−１５８６３６号公報（２００５年６月１６日公開）
【発明の概要】
【発明が解決しようとする課題】
【０００６】
しかしながら、特許文献１に開示されているスイッチ装置では、第２の接触部および第３の接触部が同一平面上に配置されているため、アーク放電が発生する接点部において生じた消耗粉が、他の接点部に移動しやすい。他の接点部に移動した消耗粉は、当該他の接点部における導通不良および絶縁不良を招いてしまうという問題がある。
【０００７】
本発明の一態様は、耐久性および信頼性が高いスイッチを実現することを目的とする。
【課題を解決するための手段】
【０００８】
上記の課題を解決するために、本発明の一態様に係るスイッチは、開閉接点部と、操作部材と、前記操作部材によって操作されることにより移動するとともに、前記開閉接点部を挟む可動接点部とを備えるスイッチであって、前記開閉接点部は、前記可動接点部の移動方向に沿って並んで形成された、第１導通領域および第１絶縁領域を備える表面と、前記移動方向に沿って並んで形成された、第２導通領域および第２絶縁領域を備える裏面とを備えており、前記可動接点部は、前記表面を摺動する第１摺動部と、前記裏面を摺動する第２摺動部とを備えており、前記可動接点部が移動する間において、前記第１摺動部が前記第１導通領域と前記第１絶縁領域との境界に到達するタイミングと、前記第２摺動部が前記第２導通領域と前記第２絶縁領域との境界に達するタイミングとが異なっている。
【０００９】
上記の構成によれば、スイッチの開動作および閉動作の両方において、表面および裏面の一方のみにおいてアーク放電が発生するようになっている。その結果、スイッチの開動作および閉動作の両方において、表面および裏面の一方ではアーク放電が発生しないので、アーク放電により消耗することを防ぐことができるようになっている。
【００１０】
また、アーク放電によって発生する消耗粉は、接点の導通または絶縁を妨げ得る。しかしながら、アーク放電によって発生する消耗粉が表面または裏面の一方のみで発生するため、消耗粉がその反対側の表面または裏面に移動しにくい。それゆえ、スイッチが導通不良および絶縁不良になることを防ぐことができる。このため、従来のスイッチに比べて、高い電流を開閉できるとともに、安定して導通状態および絶縁状態を維持できるようになっている。したがって、耐久性および信頼性が高いスイッチを実現することができる。
【００１１】
本発明の一態様に係るスイッチは、前記移動方向において、前記第１導通領域と前記第１絶縁領域との境界の位置と、前記第２導通領域と前記第２絶縁領域との境界の位置とが異なっている構成であってもよい。
【００１２】
本発明の一態様に係るスイッチは、前記移動方向において、前記第１摺動部が前記表面を摺動する位置と、前記第２摺動部が前記裏面を摺動する位置とが異なっている構成であってもよい。
【００１３】
本発明の一態様に係るスイッチにおいて、前記表面には、前記可動接点部が前記操作部材に操作されて初期位置から移動する方向へ向かって順に、第１導通領域および第１絶縁領域が形成されており、前記裏面には、前記可動接点部が前記操作部材に操作されて初期位置から移動する方向へ向かって順に、第２導通領域および第２絶縁領域が形成されている構成であってもよい。
【００１４】
上記の構成によれば、操作部材により可動接点部を初期位置から移動させることにより、閉状態から開状態に切り替えるスイッチとすることができる。
【００１５】
本発明の一態様に係るスイッチにおいて、前記表面には、前記可動接点部が前記操作部材に操作されて初期位置から移動する方向へ向かって順に、第１絶縁領域および第１導通領域が形成されており、前記裏面には、前記可動接点部が前記操作部材に操作されて初期位置から移動する方向へ向かって順に、第２絶縁領域および第２導通領域が形成されている構成であってもよい。
【００１６】
上記の構成によれば、操作部材により可動接点部を初期位置から移動させることにより、開状態から閉状態に切り替えるスイッチとすることができる。
【００１７】
本発明の一態様に係るスイッチにおいて、前記可動接点部は、互いに離れている複数の箇所において、前記表面に接触する構成であることが好ましい。
【００１８】
上記の構成によれば、第１摺動部が複数の箇所において表面に接触するため、第１摺動子と、表面との接触の信頼性を向上させることができる。
【００１９】
本発明の一態様に係るスイッチにおいて、前記可動接点部は、前記初期位置において、前記表面と乖離する構成であってもよい。
【００２０】
上記の構成によれば、スイッチの絶縁性を向上させることができる。
【００２１】
本発明の一態様に係るスイッチにおいて、前記開閉接点部は、前記可動接点部が前記初期位置から移動する方向とは逆方向に向かうにつれて、前記表面と前記裏面との間の距離が小さくなる形状となっていることが好ましい。
【００２２】
上記の構成によれば、開閉接点部から乖離している可動接点部を移動させる際に、可動接点部が開閉接点部をスムーズに挟むようにすることができる。
【発明の効果】
【００２３】
本発明の一態様によれば、耐久性および信頼性が高いスイッチを実現することができる。
【図面の簡単な説明】
【００２４】
【図１】本発明の実施形態１に係るスイッチの外観を示す斜視図である。
【図２】上記スイッチの構成を示す分解斜視図である。
【図３】上記スイッチにおける、摺動子およびベースの基部の上部の斜視図である。
【図４】上記スイッチにおける、摺動子およびベースの基部の上部の正面図である。
【図５】図４におけるＡ−Ａ線矢視断面図である。
【図６】上記スイッチの動作を示すものであり、（ａ）は、一方の接触部が第１導通領域に接触し、かつ他方の接触部が第２導通領域に接触している状態を示す図であり、（ｂ）は、一方の接触部が第１絶縁領域に接触し、かつ他方の接触部が第２導通領域に接触している状態を示す図であり、（ｃ）は、一方の接触部が第１絶縁領域に接触し、かつ他方の接触部が第２絶縁領域に接触している状態を示す図である。
【図７】上記スイッチの変形例としてのスイッチの摺動子および常閉固定接点部の断面図である。
【図８】上記スイッチの動作を示すものであり、（ａ）は、一方の接触部が第１導通領域に接触し、かつ他方の接触部が第２導通領域に接触している状態を示す図であり、（ｂ）は、一方の接触部が第１絶縁領域に接触し、かつ他方の接触部が第２導通領域に接触している状態を示す図であり、（ｃ）は、一方の接触部が第１絶縁領域に接触し、かつ他方の接触部が第２絶縁領域に接触している状態を示す図である。
【図９】本発明の実施形態２に係るスイッチにおける、摺動子およびベースの基部の上部の正面図である。
【図１０】図９のＡ−Ａ線矢視断面図である。
【図１１】上記スイッチの動作を示すものであり、（ａ）は、一方の接触部が第１絶縁領域に接触し、かつ他方の接触部が第２絶縁領域に接触している状態を示す図であり、（ｂ）は、一方の接触部が第１導通領域に接触し、かつ他方の接触部が第２絶縁領域に接触している状態を示す図であり、（ｃ）は、一方の接触部が第１導通領域に接触し、かつ他方の接触部が第２導通領域に接触している状態を示す図である。
【図１２】上記スイッチの変形例としてのスイッチの摺動子および常開固定接点部の断面図である。
【図１３】上記スイッチの動作を示すものであり、（ａ）は、一方の接触部が第１絶縁領域に接触し、かつ他方の接触部が第２絶縁領域に接触している状態を示す図であり、（ｂ）は、一方の接触部が第１導通領域に接触し、かつ他方の接触部が第２絶縁領域に接触している状態を示す図であり、（ｃ）は、一方の接触部が第１導通領域に接触し、かつ他方の接触部が第２導通領域に接触している状態を示す図である。
【図１４】本発明の実施形態３に係るスイッチにおける、摺動子が押ボタンにより押圧されていない状態における、摺動子および常開固定接点部の断面図である。
【図１５】本発明の実施形態４に係るスイッチにおける、摺動子およびベースの基部の上部の正面図である。
【発明を実施するための形態】
【００２５】
〔実施形態１〕
本発明の実施形態１におけるスイッチ１Ａについて、図１〜図６を参照しながら詳細に説明する。
【００２６】
（スイッチ１Ａの構成）
スイッチ１Ａの構成について、図１〜図５を参照しながら説明する。
【００２７】
図１は、スイッチ１Ａの外観を示す斜視図である。図２は、スイッチ１Ａの構成を示す分解斜視図である。以降の説明では、図１における＋ｘ方向を前方向、−ｘ方向を後方向、＋ｙ方向を右方向、−ｙ方向を左方向、＋ｚ方向を上方向、−ｚ方向を下方向として説明する。
【００２８】
図１および図２に示すように、スイッチ１Ａは、ケース２と、ベース３と、押ボタン（操作部材）４と、防水・防塵用のゴムキャップ５と、ゴムキャップ５をケース２に固定するためのキャップホルダー６と、コイルばね７と、第１固定端子８と、第２固定端子９と、摺動子１０とを備えている。
【００２９】
ケース２は、略直方体状の第１部材２ａと、第１部材２ａの側面２ｃから右方向に突出する第２部材２ｂとによって構成されている。ケース２は、後述するベース３の側壁３ａとともに、スイッチ１Ａの筐体を構成する。
【００３０】
第１部材２ａは、図２に示すように、内部に空洞が形成されており、側面２ｃと対向する面に開口部２ｄが形成されている。第１部材２ａの上面には、後述する押ボタン４が挿入される挿入孔２ｅと、挿入孔２ｅの周囲に設けられゴムキャップ５およびキャップホルダー６をケース２にそれぞれ取り付けるための第１凹部２ｆおよび第２凹部２ｇとが形成されている。
【００３１】
第２部材２ｂには、スイッチ１Ａが搭載される装置にスイッチ１Ａを取り付けるための取付孔２ｈが形成されている。また、第１部材２ａの前面には、上記装置に対するスイッチ１Ａの取付位置を規定するための環状の突起２ｉが形成されている。
【００３２】
ベース３は、図２に示すように、側壁３ａと、基部３ｂとを備えている。ベース３は、樹脂によって形成されており、絶縁性を有している。
【００３３】
側壁３ａは、平板形状になっており、ケース２の開口部２ｄを塞ぐことにより、ケース２とともにスイッチ１Ａの筐体を構成する。側壁３ａの下部には、上下方向に沿って並ぶ２つの端子孔３ａａ・３ａｂが形成されている。
【００３４】
基部３ｂは、ケース２および側壁３ａによって構成される筐体の内部に収納されている板状体である。基部３ｂは、後述する第１固定端子８および第２固定端子９の大部分を内部に収納しており、第１固定端子８および第２固定端子９を支持している。
【００３５】
図３は、スイッチ１Ａにおける、摺動子１０およびベース３の基部３ｂの上部の斜視図である。図４は、スイッチ１Ａにおける、摺動子１０およびベース３の基部３ｂの上部の正面図である。図３および図４に示すように、基部３ｂの上部中央には、上方に突出する円柱形リブ３ｄが形成されている。また、基部３ｂの上部には、円柱形リブ３ｄを挟んで右側（＋Ｙ方向側）に、上方に向かって突出する突出部３ｅおよび突出部３ｆが形成されており、円柱形リブ３ｄを挟んで左側（−Ｙ方向側）に、上方に向かって突出する突出部３ｇおよび３ｈが形成されている。
【００３６】
図５は、図４におけるＡ−Ａ線矢視断面図である。図５に示すように、突出部３ｈの上面には、段差が形成されている。これにより、突出部３ｈの前面３ｈａの上端が、突出部３ｈの後面３ｈｂの上端よりも上方に位置するようになっている。なお、図示していないが突出部３ｆの上面は、段差は形成されておらず、平面になっている。
【００３７】
押ボタン４は、凹部が形成された台座４ａと、台座４ａから上方に延在する円柱形の被押圧部４ｂとを備えている。被押圧部４ｂは、上下方向に移動可能となるように、ケース２の内部に配設されている。被押圧部４ｂの上端部は、ケース２の挿入孔２ｅ、およびゴムキャップ５に形成された貫通孔を介してケース２から上方に突出している。押ボタン４は、被押圧部４ｂをレバーなどにより外部から押圧されることにより、上下方向に移動できるようになっている。
【００３８】
第１固定端子８は、金属で形成されており、導電性を有している。第１固定端子８は、上下方向に延びる第１摺動子接続用端子部８ａと、上下方向に垂直な面を有する外部端子接続用端子部８ｂと、第１摺動子接続用端子部８ａおよび外部端子接続用端子部８ｂを接続する接続部８ｃとを備えている。
【００３９】
第１摺動子接続用端子部８ａは、接続部８ｃから上方に延びる埋設部８ｄと、埋設部８ｄから右方向に向かって延設されている第１被摺動部８ｅとによって構成されている。埋設部８ｄは、ベース３の突出部３ｅの内部に埋設されている。第１被摺動部８ｅは、ベース３の突出部３ｅからベース３の外部に突出しており、下面がベース３の突出部３ｆの上面と当接している。第１被摺動部８ｅの前面と突出部３ｈの前面とは、同一平面上に存在している。同様に、第１被摺動部８ｅの後面と突出部３ｈの後面とは、同一平面上に存在している。
【００４０】
第１固定端子８の第１被摺動部８ｅは、押ボタン４が押圧されていない状態から押ボタン４が完全に押圧されるまでの間、後述する摺動子１０の接触部１２ａｂおよび接触部１２ｂｂが、第１被摺動部８ｅの前面および後面にそれぞれ接触できるように、上下方向に延びている。これにより、摺動子１０と第１固定端子８とは、常に電気的に接続されている状態となっている。すなわち、第１被摺動部８ｅの前面および後面は、スイッチ１Ａにおいて、コモン固定接点部として機能する。
【００４１】
外部端子接続用端子部８ｂの一部は、ベース３の側壁３ａに形成されている端子孔３ａａを介してスイッチ１Ａから露出しており、図示しない外部端子（外部回路）と接続される。
【００４２】
第２固定端子９は、金属で形成されており、導電性を有している。第２固定端子９は、上下方向に延びる第２摺動子接続用端子部９ａと、上下方向に垂直な面を有する外部端子接続用端子部９ｂと、第２摺動子接続用端子部９ａおよび外部端子接続用端子部９ｂを接続する接続部９ｃとを備えている。第２摺動子接続用端子部９ａは、接続部９ｃから上方に延びる埋設部９ｄと、埋設部９ｄから左方向に向かって延設されている第２被摺動部９ｅとによって構成されている。埋設部９ｄは、ベース３の突出部３ｇの内部に収納されている。第１被摺動部８ｅは、ベース３の突出部３ｇからベース３の外部に突出している。
【００４３】
図５に示すように、第２被摺動部９ｅの下面の前後方向の中央には、ＹＺ平面に平行な段差が形成されている。これにより、第２被摺動部９ｅの後面９ｅｂの下端が第２被摺動部９ｅの前面９ｅａの下端よりも下方になっている。第２被摺動部９ｅの下面に形成された段差と、突出部３ｈの上面に形成された段差とが係合して第２被摺動部９ｅの下面と突出部３ｈの上面とが当接している。
【００４４】
第２被摺動部９ｅの前面９ｅａと突出部３ｈの前面３ｈａとは、同一平面上に存在している。同様に、第２被摺動部９ｅの後面９ｅｂと突出部３ｈの後面３ｈｂとは、同一平面上に存在している。
【００４５】
導電性を有する第２被摺動部９ｅの前面９ｅａ（第１導通領域）、および絶縁性を有する突出部３ｈの前面３ｈａ（第１絶縁領域）は、スイッチ１Ａにおいて、第１常閉固定接点部Ｃ１として機能する。また、導電性を有する第２被摺動部９ｅの後面９ｅｂ（第２導通領域）、および絶縁性を有する突出部３ｈの後面３ｈｂ（第２絶縁領域）は、スイッチ１Ａにおいて、第２常閉固定接点部Ｃ２として機能する。第１常閉固定接点部Ｃ１と、第２常閉固定接点部Ｃ２とによって、スイッチ１Ａにおける常閉固定接点部（開閉接点部）が構成されている。
【００４６】
外部端子接続用端子部９ｂの一部は、ベース３の側壁３ａに形成されている端子孔３ａｂを介してスイッチ１Ａから露出しており、図示しない外部端子（外部回路）と接続される。
【００４７】
摺動子１０は、導電性を有する金属板を折り曲げて形成されており、導電性を有している。摺動子１０は、図２および図３に示すように、連結部１１と、可動接点部１２・１３とを備えている。連結部１１の右端に可動接点部１２が形成されており、連結部１１の左端に可動接点部１３が形成されている。
【００４８】
可動接点部１２は、図３に示すように、第１可動接触部１２ａと第２可動接触部１２ｂとを備えており、第１可動接触部１２ａと第２可動接触部１２ｂとによって第１固定端子８の第１被摺動部８ｅ（上記のコモン固定接点部）を挟むクリップを構成している。第１可動接触部１２ａは、連結部１１の左端から下方に向かって延びるアーム部１２ａａと、アーム部１２ａａの先端に設けられ、第１被摺動部８ｅの前面に接触する接触部１２ａｂとを備えている。同様に、第２可動接触部１２ｂは、連結部１１の左端から下方に向かって延びるアーム部１２ｂａと、アーム部１２ｂａの先端に設けられ、第１被摺動部８ｅの後面に接触する接触部１２ｂｂとを備えている。接触部１２ａｂと接触部１２ｂｂとは、上下方向における同じ位置において、第１被摺動部８ｅに接触する。
【００４９】
可動接点部１３は、図３〜図５に示すように、第１可動接触部１３ａと第２可動接触部１３ｂとを備えており、第１可動接触部１３ａと第２可動接触部１３ｂとによって上記の常閉固定接点部を挟むクリップを構成している。第１可動接触部１３ａは、連結部１１の右端から下方に向かって延びるアーム部１３ａａと、アーム部１３ａａの先端に設けられ、第１常閉固定接点部Ｃ１を摺動する接触部（第１摺動部）１３ａｂとを備えている。同様に、第２可動接触部１３ｂは、連結部１１の右端から下方に向かって延びるアーム部１３ｂａと、アーム部１３ｂａの先端に設けられ、第２常閉固定接点部Ｃ２を摺動する接触部（第２摺動部）１３ｂｂとを備えている。接触部１３ａｂおよび接触部１３ｂｂは、上下方向における同じ位置において、第１常閉固定接点部Ｃ１および第２常閉固定接点部Ｃ２にそれぞれ接触する。
【００５０】
連結部１０ａは、押ボタン４の台座４ａに保持されている。これにより、押ボタン４が下方に押圧されると、当該押圧に連動して押ボタン４の台座４ａが摺動子１０の連結部１１を下方に押圧し、摺動子１０が下方に移動する。
【００５１】
コイルばね７は、ベース３と、摺動子１０との間に配置される弾性体である。コイルばね７は、ケース２内において、上端が摺動子１０の連結部１１に当接しており、下端がベース３の円柱形リブ３ｄが挿入されている。これにより、コイルばね７は、摺動子１０の連結部１１に対して上向きの力を付勢する。
【００５２】
（スイッチ１Ａの動作）
次に、本実施形態におけるスイッチ１Ａの動作について、図６を参照しながら説明する。
【００５３】
図６は、スイッチ１Ａの動作を示すものであり、（ａ）は接触部１３ａｂが第２被摺動部９ｅの前面９ｅａに接触し、かつ接触部１３ｂｂが第２被摺動部９ｅの後面９ｅｂに接触している状態を示す図であり、（ｂ）は接触部１３ａｂが突出部３ｈの前面３ｈａに接触し、かつ接触部１３ｂｂが第２被摺動部９ｅの後面９ｅｂに接触している状態を示す図であり、（ｃ）は接触部１３ａｂが突出部３ｈの前面３ｈａに接触し、かつ接触部１３ｂｂが突出部３ｈの後面３ｈｂに接触している状態を示す図である。
＜開動作＞
まず、スイッチ１Ａの開動作について説明する。
【００５４】
スイッチ１Ａにおける開動作を行う前には、図６の（ａ）に示すように、摺動子１０がコイルばね７に付勢されており、摺動子１０が上方の初期位置（以降では、第１位置とも呼称する）に位置している。この状態においては、第１可動接触部１３ａの接触部１３ａｂが第２被摺動部９ｅの前面９ｅａに接触し、また第２可動接触部１３ｂの接触部１３ｂｂが第２被摺動部９ｅの後面９ｅｂに接触している。このため、第２固定端子９と摺動子１０とが電気的に接続されており、第１固定端子８と第２固定端子９との間が通電している状態（すなわち、スイッチ１Ａが導通状態）となっている。
【００５５】
次に、外部から押ボタン４の被押圧部４ｂを押圧する。これにより、摺動子１０が押ボタン４により押圧され、コイルばね７の付勢力に抗して下方に移動する。摺動子１０が下方に移動すると、図６の（ｂ）に示すように、摺動子１０は、接触部１３ａｂが突出部３ｈの前面３ｈａに接触し第２被摺動部９ｅの前面９ｅａから離れる位置（以降では、第２位置と呼称する）に移動する。摺動子１０が第２位置に移動しても、接触部１３ｂｂが第２被摺動部９ｅの後面９ｅｂと接触しているので、第１固定端子８と第２固定端子９との間が通電している状態（すなわち、スイッチ１Ａが導通状態）となっている。
【００５６】
次に、押ボタン４の被押圧部４ｂをさらに押圧する。これにより、摺動子１０がさらに下方に移動し、図６の（ｃ）に示すように、摺動子１０は、接触部１３ｂｂが突出部３ｈの後面３ｈｂに接触し第２被摺動部９ｅの後面９ｅｂから離れる位置（以降では、第３位置と呼称する）に移動する。摺動子１０が第３位置にあるときには、接触部１３ａｂが突出部３ｈの前面３ｈａに接触し、かつ接触部１３ｂｂが突出部３ｈの後面３ｈｂに接触した状態となる。その結果、第２固定端子９と摺動子１０との電気的接続が遮断され、第１固定端子８と第２固定端子９との間が通電していない状態（すなわち、スイッチ１Ａが絶縁状態）となる。
【００５７】
さらに、押ボタン４の被押圧部４ｂを押圧すると、摺動子１０はがさらに下方に移動する。この間においては、接触部１３ａｂが突出部３ｈの前面３ｈａを摺動し、接触部１３ｂｂが突出部３ｈの後面３ｈｂを摺動する。以上により、スイッチ１Ａの開動作が完了する。以降では、押ボタン４が十分に押し込まれ、開動作が完了する位置を第４の位置とする。
＜閉動作＞
次に、スイッチ１Ａの閉動作について説明する。
【００５８】
スイッチ１Ａの閉動作を行う前には、押ボタン４の被押圧部４ｂが下方に押し込まれた状態となっている（すなわち、第４の位置に位置している）。すなわち、接触部１３ａｂが突出部３ｈの前面３ｈａに接触し、接触部１３ｂｂが突出部３ｈの後面３ｈｂと接触した状態となっており、第１固定端子８と第２固定端子９との間が通電していない状態となっている。
【００５９】
この状態において、押ボタン４の被押圧部４ｂへの押圧力を解除する。これにより、被押圧部４ｂによる摺動子１０への下方への押圧が解除されるので、摺動子１０はコイルばね７の付勢力により上方に移動する。
【００６０】
摺動子１０が上方に移動すると、図６の（ｂ）に示すように、まず、摺動子１０は、接触部１３ｂｂが第２被摺動部９ｅの後面９ｅｂと接触し突出部３ｈの後面３ｈｂから離れる位置（第２位置）へ移動する。摺動子１０が第２位置に移動すると、接触部１３ｂｂが第２被摺動部９ｅの後面９ｅｂと接触するので、第１固定端子８と第２固定端子９との間が通電状態（すなわち、スイッチ１Ａが導通状態）となる。
【００６１】
さらに摺動子１０が上方に移動すると、接触部１３ａｂが第２被摺動部９ｅの前面９ｅａに接触し突出部３ｈの前面３ｈａから離れる。そして、さらに摺動子１０が上方に移動すると、図６の（ａ）に示すように、摺動子１０は、初期位置（第１位置）に移動する。以上により、スイッチ１Ａの閉動作が完了する。
【００６２】
（スイッチ１Ａの特徴）
一般的に、大きい電流（例えば、数百ｍＡ以上の電流）を開閉するスイッチでは、導通状態と絶縁状態とが切り替わる際に、スイッチの接触点にアーク放電が発生する。アーク放電が発生すると、アーク放電により接触点が高温になり、端子が融解してしまい、端子が消耗するという問題点がある。
【００６３】
そこで、本実施形態のスイッチ１Ａでは、上述したように、常閉固定接点部の前面（表面）である第１常閉固定接点部Ｃ１は、摺動子１０が押ボタン４によって押圧されて初期位置（第１位置）から移動する方向へ向かって順に、第２被摺動部９ｅの前面９ｅａおよび突出部３ｈの前面３ｈａとなっている。また、常閉固定接点部の後面（裏面）である第２常閉固定接点部Ｃ２は、摺動子１０が押ボタン４によって押圧されて初期位置（第１位置）から移動する方向へ向かって順に、第２被摺動部９ｅの後面９ｅｂおよび突出部３ｈの後面３ｈｂとなっている。そして、摺動子１０が移動する方向（Ｚ軸方向）において、第２被摺動部９ｅの後面９ｅｂと突出部３ｈの後面３ｈｂとの境界の位置が、第２被摺動部９ｅの前面９ｅａと突出部３ｈの前面３ｈａとの境界の位置よりも下方になっている。これにより、摺動子１０が移動する間において、接触部１３ａｂが第２被摺動部９ｅの前面９ｅａと突出部３ｈの前面３ｈａとの境界に到達するタイミングと、接触部１３ｂｂが第２被摺動部９ｅの後面９ｅｂと突出部３ｈの後面３ｈｂとの境界に達するタイミングとが異なっている。
【００６４】
上記の構成により、スイッチ１Ａの開動作における導通状態と絶縁状態とが切り替わる位置は、第２被摺動部９ｅの後面９ｅｂと突出部３ｈの後面３ｈｂとの境界となる。その結果、スイッチ１Ａの開動作において、常閉固定接点部の第２常閉固定接点部Ｃ２側において、アーク放電が発生するようになっている。
【００６５】
また、スイッチ１Ａの閉動作における導通状態と絶縁状態とが切り替わる位置は、第２被摺動部９ｅの後面９ｅｂと突出部３ｈの後面３ｈｂとの境界となる。その結果、スイッチ１Ａの閉動作においても、常閉固定接点部の第２常閉固定接点部Ｃ２側において、アーク放電が発生するようになっている。
【００６６】
以上のように、スイッチ１Ａでは、開動作および閉動作の両方において、常閉固定接点部の第２常閉固定接点部Ｃ２側でアーク放電が発生するようになっている。すなわち、接触部１３ａｂが第１常閉固定接点部Ｃ１における導通と絶縁とを切り替える位置（すなわち、第２被摺動部９ｅの前面９ｅａと突出部３ｈの前面３ｈａとの境界）にあるときには、接触部１３ｂｂが第２被摺動部９ｅの後面９ｅｂに接触しており、摺動子１０と第２固定端子９とが同電位となっている。そのため、第１常閉固定接点部Ｃ１において、アーク放電が発生しない。その結果、第１常閉固定接点部Ｃ１および第１可動接触部１３ａの接触部１３ａｂがアーク放電により消耗することを防ぐことができるようになっている。また、アーク放電によって発生する消耗粉は、接点の導通または絶縁を妨げ得る。しかしながら、スイッチ１Ａでは、アーク放電によって発生する消耗粉が第２常閉固定接点部Ｃ２側のみで発生するため、消耗粉が第２常閉固定接点部Ｃ２側の反対側である第１常閉固定接点部Ｃ１側に移動しにくい。それゆえ、スイッチ１Ａが導通不良および絶縁不良になることを防ぐことができる。このため、従来のスイッチに比べて、高い電流を開閉できるとともに、安定して導通状態および絶縁状態を維持できるようになっている。
【００６７】
また、スイッチ１Ａは、１つの第２被摺動部９ｅと、第２被摺動部９ｅを挟む１つの可動接点部１３とにより、接触部１３ａｂにアーク放電を生じさせない構成を実現している。それゆえ、スイッチ１Ａは、簡易な構成で、耐久性および信頼性が高いスイッチとなっている。
【００６８】
＜変形例１＞
次に、実施形態１のスイッチ１Ａの変形例としてのスイッチ１Ｂについて、図７および図８を参照しながら説明する。
【００６９】
本変形例におけるスイッチ１Ｂは、スイッチ１Ａにおける摺動子１０の可動接点部１３に代えて可動接点部１４を、スイッチ１Ａにおける第２固定端子９の第２被摺動部９ｅに代えて第２被摺動部９ｆを、スイッチ１Ａにおけるベース３の突出部３ｈに代えて突出部３ｉを備えている。
【００７０】
図７は、スイッチ１Ｂの摺動子１０および常閉固定接点部の断面図である。図７に示すように、ベース３の突出部３ｉの上面は平面となっており、第２被摺動部９ｆの下面は平面となっている。そして、上下方向に垂直な平面（ＸＹ平面に平行な平面）において、突出部３ｉの上面と第２被摺動部９ｆの下面とが当接している。
【００７１】
導電性を有する第２被摺動部９ｆの前面９ｆａ（第１導通領域）、および絶縁性を有する突出部３ｉの前面３ｉａ（第１絶縁領域）は、スイッチ１Ｂにおいて、第１常閉固定接点部Ｃ３として機能する。また、導電性を有する第２被摺動部９ｆの後面９ｆｂ（第２導通領域）、および絶縁性を有する突出部３ｉの後面３ｉｂ（第２絶縁領域）は、スイッチ１Ｂにおいて、第２常閉固定接点部Ｃ４として機能する。第１常閉固定接点部Ｃ３と、第２常閉固定接点部Ｃ４とによって、スイッチ１Ｂにおける常閉固定接点部（開閉接点部）が構成されている。
【００７２】
可動接点部１４は、図７に示すように、第１可動接触部１４ａと第２可動接触部１４ｂとを備えており、第１可動接触部１４ａと第２可動接触部１４ｂとによって、上記の常閉固定接点部を挟むクリップを構成している。第１可動接触部１４ａは、連結部１１の右端から下方に向かって延びるアーム部１４ａａと、アーム部１４ａａの先端に設けられ、第１常閉固定接点部Ｃ３を摺動する接触部（第１摺動部）１４ａｂとを備えている。同様に、第２可動接触部１４ｂは、連結部１１の右端から下方に向かって延びるアーム部１４ｂａと、アーム部１４ｂａの先端に設けられ、第２常閉固定接点部Ｃ４を摺動する接触部（第２摺動部）１４ｂｂとを備えている。
【００７３】
スイッチ１Ｂでは、第１可動接触部１４ａのアーム部１４ａａの長さが、第２可動接触部１４ｂのアーム部１４ｂａの長さよりも長く形成されている。これにより、上下方向において、接触部１４ａｂが第１常閉固定接点部Ｃ３を摺動する位置が、接触部１４ｂｂが第２常閉固定接点部Ｃ４を摺動する位置よりも下方になっている。
【００７４】
（スイッチ１Ｂの動作）
次に、本変形例におけるスイッチ１Ｂの動作について、図８を参照しながら説明する。
【００７５】
図８は、スイッチ１Ｂの動作を示すものであり、（ａ）は接触部１４ａｂが第２被摺動部９ｆの前面９ｆａに接触し、かつ接触部１４ｂｂが第２被摺動部９ｆの後面９ｆｂに接触している状態を示す図であり、（ｂ）は接触部１４ａｂが突出部３ｉの前面３ｉａに接触し、かつ接触部１４ｂｂが第２被摺動部９ｆの後面９ｆｂに接触している状態を示す図であり、（ｃ）は接触部１４ａｂが突出部３ｉの前面３ｉａに接触し、かつ接触部１４ｂｂが突出部３ｉの後面３ｉｂに接触している状態を示す図である。
＜開動作＞
まず、スイッチ１Ｂの開動作について説明する。
【００７６】
スイッチ１Ｂにおける開動作を行う前には、図８の（ａ）に示すように、摺動子１０がコイルばね７に付勢されており、摺動子１０が上方の初期位置に位置している。この状態においては、第２固定端子９と摺動子１０とが電気的に接続されており、第１固定端子８と第２固定端子９との間が通電している状態（すなわち、スイッチ１Ｂが導通状態）となっている。
【００７７】
次に、外部から押ボタン４の被押圧部４ｂを押圧する。これにより、摺動子１０が押ボタン４により押圧され、コイルばね７の付勢力に抗して下方に移動する。摺動子１０が下方に移動すると、図８の（ｂ）に示すように、摺動子１０は、第１可動接触部１４ａの接触部１４ａｂが突出部３ｉの前面３ｉａに接触し第２被摺動部９ｆの前面９ｆａから離れる位置（第２位置）に移動する。摺動子１０が第２位置に移動しても、第２可動接触部１４ｂの接触部１４ｂｂが第２被摺動部９ｆの後面９ｆｂと接触しているので、第１固定端子８と第２固定端子９との間が通電している状態（すなわち、スイッチ１Ｂが導通状態）となっている。
【００７８】
次に、押ボタン４の被押圧部４ｂをさらに押圧する。これにより、摺動子１０がさらに下方に移動し、図８の（ｃ）に示すように、摺動子１０は、接触部１４ｂｂが突出部３ｉの後面３ｉｂに接触し第２被摺動部９ｆの後面９ｆｂから離れる位置（第３位置）に移動する。摺動子１０が第３位置にあるときには、接触部１４ａｂが突出部３ｉの前面３ｉａに接触し、かつ接触部１４ｂｂが突出部３ｉの後面３ｉｂに接触した状態となる。その結果、第２固定端子９と摺動子１０との電気的接続が遮断され、第１固定端子８と第２固定端子９との間が通電していない状態（すなわち、スイッチ１Ｂが絶縁状態）となる。
【００７９】
さらに、押ボタン４の被押圧部４ｂを押圧すると、摺動子１０はがさらに下方に移動する。この間においては、接触部１４ａｂが突出部３ｉの前面３ｉａを摺動し、接触部１４ｂｂが突出部３ｉの後面３ｉｂを摺動する。以上により、スイッチ１Ａの開動作が完了する。以降では、押ボタン４が十分に押し込まれ、開動作が完了する位置を第４の位置とする。
＜閉動作＞
次に、スイッチ１Ｂの閉動作について説明する。
【００８０】
スイッチ１Ｂの閉動作を行う前には、押ボタン４の被押圧部４ｂが下方に押しこまれた状態となっている（すなわち、第４の位置に位置している）。すなわち、接触部１４ａｂが突出部３ｉの前面３ｉａに接触し、接触部１４ｂｂが突出部３ｉの後面３ｉｂと接触した状態となっており、第１固定端子８と第２固定端子９との間が通電していない状態となっている。
【００８１】
この状態において、押ボタン４の被押圧部４ｂへの押圧力を解除する。これにより、摺動子１０はコイルばね７の付勢力により上方に移動する。
【００８２】
摺動子１０が上方に移動すると、図８の（ｂ）に示すように、摺動子１０は、接触部１４ｂｂが第２被摺動部９ｆの後面９ｆｂと接触し突出部３ｉの後面３ｉｂから離れる位置（第２位置）へ移動する。摺動子１０が第２位置に移動すると、接触部１４ｂｂが第２被摺動部９ｆの後面９ｆｂと接触するので、第１固定端子８と第２固定端子９との間が通電状態（すなわち、スイッチ１Ｂが導通状態）となる。
【００８３】
さらに摺動子１０が上方に移動すると、接触部１４ａｂが第２被摺動部９ｆの前面９ｆａに接触し突出部３ｉの前面３ｉａから離れる。そして、さらに摺動子１０が上方に移動すると、図８の（ａ）に示すように、摺動子１０は、初期位置（第１位置）に移動する。以上により、スイッチ１Ｂの閉動作が完了する。
【００８４】
以上のように、スイッチ１Ｂでは、開動作および閉動作において、スイッチ１Ｂの導通状態と絶縁状態とが切り替わる位置は、第２被摺動部９ｆの後面９ｆｂと突出部３ｉの後面３ｉｂとの境界となる。したがって、開動作および閉動作の両方において、常閉固定接点部の第２常閉固定接点部Ｃ４側でアーク放電が発生する。すなわち、接触部１４ａｂが第１常閉固定接点部Ｃ３における導通と絶縁とを切り替える位置（すなわち、第２被摺動部９ｆの前面９ｆａと突出部３ｉの前面３ｉａとの境界）にあるときには、接触部１４ｂｂが第２被摺動部９ｆの後面９ｆｂに接触しており、摺動子１０と第２固定端子９とが同電位となっている。そのため、第１常閉固定接点部Ｃ３において、アーク放電が発生しない。その結果、第１常閉固定接点部Ｃ３および第１可動接触部１４ａの接触部１４ａｂがアーク放電により消耗することを防ぐことができる。また、第２常閉固定接点部Ｃ４側においてアーク放電により発生した消耗粉が第２常閉固定接点部Ｃ４側の反対側である第１常閉固定接点部Ｃ３側に移動しにくい。それゆえ、スイッチ１Ｂ導通不良および絶縁不良になることを防ぐことができる。
【００８５】
〔実施形態２〕
本発明の他の実施形態について、図９〜１１に基づいて説明すれば、以下のとおりである。なお、説明の便宜上、前記実施形態にて説明した部材と同じ機能を有する部材については、同じ符号を付記し、その説明を省略する。
【００８６】
本実施形態におけるスイッチ１Ｃは、スイッチ１Ａにおける第２固定端子９の第２被摺動部９ｅに代えて第２被摺動部９ｇを、スイッチ１Ａにおけるベース３の突出部３ｈに代えて突出部３ｊを備えている。
【００８７】
図９は、スイッチ１Ｃにおける、摺動子１０およびベース３の基部３ｂの上部の正面図である。図１０は、図９のＡ−Ａ線矢視断面図である。
【００８８】
突出部３ｊは、図９に示すように、突出部３ｇの上部において、突出部３ｇから左方向へ突出している。また、図１０に示すように、突出部３ｊの下面の前後方向の中央には、ＹＺ平面に平行な段差が形成されている。
【００８９】
第２被摺動部９ｇは、埋設部９ｄから左方向に向かって延設されており、図９および図１０に示すように、ベース３の上部から上方に向かって突出している。第２被摺動部９ｇの上面の前後方向の中央には、ＹＺ平面に平行な段差が形成されている。第２被摺動部９ｇの上面に形成された段差と、突出部３ｊの下面に形成された段差とが係合して第２被摺動部９ｇの上面と突出部３ｊの上面とが当接している。
【００９０】
図１０に示すように、導電性を有する第２被摺動部９ｇの前面９ｇａ（第１導通領域）、および絶縁性を有する突出部３ｊの前面３ｊａ（第１絶縁領域）は、スイッチ１Ｃにおいて、第１常開固定接点部Ｄ１として機能する。また、導電性を有する第２被摺動部９ｇの後面９ｇｂ（第２導通領域）、および絶縁性を有する突出部３ｊの後面３ｊｂ（第２絶縁領域）は、スイッチ１Ｃにおいて、第２常開固定接点部Ｄ２として機能する。第１常開固定接点部Ｄ１と、第２常開固定接点部Ｄ２とによって、スイッチ１Ｃにおける常開固定接点部（開閉接点部）が構成されている。
【００９１】
（スイッチ１Ｃの動作）
次に、本実施形態におけるスイッチ１Ｃの動作について、図１１を参照しながら説明する。
【００９２】
図１１は、スイッチ１Ｃの動作を示すものであり、（ａ）は接触部１３ａｂが突出部３ｊの前面３ｊａに接触し、かつ接触部１３ｂｂが突出部３ｊの後面３ｊｂに接触している状態を示す図であり、（ｂ）は接触部１３ａｂが第２被摺動部９ｇの前面９ｇａに接触し、かつ接触部１３ｂｂが突出部３ｊの後面３ｊｂに接触している状態を示す図であり、（ｃ）は接触部１３ａｂが第２被摺動部９ｇの前面９ｇａに接触し、かつ接触部１３ｂｂが第２被摺動部９ｇの後面９ｇｂに接触している状態を示す図である。
＜閉動作＞
まず、スイッチ１Ｃの閉動作について説明する。
【００９３】
スイッチ１Ｃにおける閉動作を行う前には、図１１の（ａ）に示すように、摺動子１０がコイルばね７に付勢されており、摺動子１０が上方の初期位置（以降では、第１位置とも呼称する）に位置している。この状態においては、第１可動接触部１３ａの接触部１３ａｂが突出部３ｊの前面３ｊａに接触し、第２可動接触部１３ｂの接触部１３ｂｂが突出部３ｊの後面３ｊｂに接触している。このため、第２固定端子９と摺動子１０とは電気的に遮断されており、第１固定端子８と第２固定端子９との間が通電していない状態（すなわち、スイッチ１Ｃが絶縁状態）となっている。
【００９４】
次に、外部から押ボタン４の被押圧部４ｂを押圧する。これにより、摺動子１０が押ボタン４により押圧され、コイルばね７の付勢力に抗して下方に移動する。摺動子１０が下方に移動すると、図１１の（ｂ）に示すように、摺動子１０は、接触部１３ａｂが第２被摺動部９ｇの前面９ｇａに接触し突出部３ｊの前面３ｊａから離れる位置（以降では、第２位置と呼称する）に移動する。摺動子１０が第２位置に移動すると、接触部１３ａｂが第２被摺動部９ｇの前面９ｇａと接触するので、第２固定端子９と摺動子１０とが電気的に接続する。その結果、第１固定端子８と第２固定端子９との間が通電している状態（すなわち、スイッチ１Ｃが通電状態）となる。
【００９５】
次に、押ボタン４の被押圧部４ｂをさらに押圧する。これにより、摺動子１０がさらに下方に移動し、図１１の（ｃ）に示すように、摺動子１０は、接触部１３ｂｂが第２被摺動部９ｇの後面９ｇｂに接触し突出部３ｊの後面３ｊｂから離れる位置（以降では、第３位置と呼称する）に移動する。
【００９６】
さらに、押ボタン４の被押圧部４ｂを押圧すると、摺動子１０はがさらに下方に移動する。この間においては、接触部１３ａｂが第２被摺動部９ｇの前面９ｇａを摺動し、接触部１３ｂｂが第２被摺動部９ｇの後面９ｇｂを摺動する。以上により、スイッチ１Ｃの閉動作が完了する。以降では、押ボタン４が十分に押し込まれ、閉動作が完了する位置を第４の位置とする。
＜開動作＞
次に、スイッチ１Ｃの開動作について説明する。
【００９７】
スイッチ１Ｃの開動作を行う前には、押ボタン４の被押圧部４ｂが下方に押しこまれた状態となっている（すなわち、第４の位置に位置している）。すなわち、接触部１３ａｂが第２被摺動部９ｇの前面９ｇａに接触しており、接触部１３ｂｂが第２被摺動部９ｇの後面９ｇｂと接触した状態となっており、第１固定端子８と第２固定端子９との間が通電している状態となっている。
【００９８】
この状態において、押ボタン４の被押圧部４ｂへの押圧力を解除する。これにより、被押圧部４ｂによる摺動子１０への下方への押圧が解除されるので、摺動子１０はコイルばね７の付勢力により上方に移動する。
【００９９】
摺動子１０が上方に移動すると、図１１の（ｂ）に示すように、まず、摺動子１０は、接触部１３ｂｂが突出部３ｊの後面３ｊｂと接触し第２被摺動部９ｇの後面９ｇｂから離れる位置（第２位置）へ移動する。摺動子１０が第２位置に移動しても、接触部１３ａｂが第２被摺動部９ｇの前面９ｇａと接触しているので、第１固定端子８と第２固定端子９との間が通電している状態（すなわち、スイッチ１Ａが導通状態）となっている。
【０１００】
さらに摺動子１０が上方に移動すると、接触部１３ａｂが突出部３ｊの前面３ｊａに接触し第２被摺動部９ｇの前面９ｇａから離れる。その結果、接触部１３ａｂが突出部３ｊの前面３ｊａに接触し、かつ接触部１３ｂｂが突出部３ｊの後面３ｊｂに接触した状態となるので、第２固定端子９と摺動子１０との電気的接続が遮断され、第１固定端子８と第２固定端子９との間が通電していない状態（すなわち、スイッチ１Ｃが絶縁状態）となる。
【０１０１】
さらに摺動子１０が上方に移動すると、図１１の（ａ）に示すように、摺動子１０は、初期位置（第１位置）に移動する。以上により、スイッチ１Ｃの開動作が完了する。
【０１０２】
（スイッチ１Ｃの特徴）
本実施形態のスイッチ１Ｃでは、上述したように、常開固定接点部の前面（表面）である第１常開固定接点部Ｄ１は、摺動子１０が押ボタン４によって押圧されて初期位置（第１位置）から移動する方向へ向かって順に、突出部３ｊの前面３ｊａおよび第２被摺動部９ｇの前面９ｇａとなっている。また、常開固定接点部の後面（裏面）である第２常開固定接点部Ｄ２は、摺動子１０が押ボタン４によって押圧されて初期位置（第１位置）から移動する方向へ向かって順に、突出部３ｊの後面３ｊｂおよび第２被摺動部９ｇの後面９ｇｂとなっている。そして、摺動子１０が移動する方向（Ｚ軸方向）において、第２被摺動部９ｇの後面９ｇｂと突出部３ｊの後面３ｊｂとの境界の位置が、第２被摺動部９ｇの前面９ｇａと突出部３ｊの前面３ｊａとの境界の位置よりも下方になっている。
【０１０３】
上記の構成により、スイッチ１Ｃでは、開動作および閉動作の両方において、スイッチ１Ｃの導通状態と絶縁状態とが切り替わる位置は、第２被摺動部９ｇの前面９ｇａと突出部３ｊの前面３ｊａとの境界となる。その結果、スイッチ１Ｃの開動作および閉動作の両方において、常開固定接点部の第１常開固定接点部Ｄ１側において、アーク放電が発生するようになっている。すなわち、接触部１３ｂｂが第２常開固定接点部Ｄ２における導通と絶縁とを切り替える位置（すなわち、第２被摺動部９ｇの後面９ｇｂと突出部３ｊの後面３ｊｂとの境界）にあるときには、接触部１３ａｂが第２被摺動部９ｇの前面９ｇａに接触しており、摺動子１０と第２固定端子９とが同電位となっている。そのため、第２常開固定接点部Ｄ２において、アーク放電が発生しない。その結果、第２常開固定接点部Ｄ２および第２可動接触部１３ｂの接触部１３ｂｂがアーク放電により消耗することを防ぐことができるようになっている。また、スイッチ１Ｃでは、アーク放電によって発生する消耗粉が第１常開固定接点部Ｄ１側のみで発生するため、消耗粉が第１常開固定接点部Ｄ１側の反対側である第２常開固定接点部Ｄ２側に移動しにくい。それゆえ、スイッチ１Ｃが導通不良および絶縁不良になることを防ぐことができる。
【０１０４】
＜変形例２＞
次に、実施形態２のスイッチ１Ｃの変形例としてのスイッチ１Ｄについて、図１２および図１３を参照しながら説明する。
【０１０５】
本変形例におけるスイッチ１Ｄは、スイッチ１Ｃにおける摺動子１０の可動接点部１３に代えて可動接点部１４を、スイッチ１Ｃにおける第２被摺動部９ｇに代えて第２被摺動部９ｈを、スイッチ１Ｃにおけるベース３の突出部３ｊに代えて突出部３ｋを備えている。
【０１０６】
図１２は、スイッチ１Ｄの摺動子１０および常開固定接点部の断面図である。
【０１０７】
図１２に示すように、ベース３の突出部３ｋの下面は平面となっており、第２被摺動部９ｈの上面は平面となっている。そして、上下方向に垂直な平面（ＸＹ平面に平行な平面）において、突出部３ｋの下面と第２被摺動部９ｈの上面とが当接している。
【０１０８】
導電性を有する第２被摺動部９ｈの前面９ｈａ（第１導通領域）、および絶縁性を有する突出部３ｋの前面３ｋａ（第１絶縁領域）は、スイッチ１Ｄにおいて、第１常開固定接点部Ｄ３として機能する。また、導電性を有する第２被摺動部９ｈの後面９ｈｂ（第２導通領域）、および絶縁性を有する突出部３ｋの後面３ｋｂ（第２絶縁領域）は、スイッチ１Ｂにおいて、第２常開固定接点部Ｄ４として機能する。第１常開固定接点部Ｄ３と、第２常開固定接点部Ｄ４とによって、スイッチ１Ｄにおける常開固定接点部（開閉接点部）が構成されている。
【０１０９】
（スイッチ１Ｄの動作）
次に、本変形例におけるスイッチ１Ｄの動作について、図１３を参照しながら説明する。
【０１１０】
図１３は、スイッチ１Ｄの動作を示すものであり、（ａ）は接触部１４ａｂが突出部３ｋの前面３ｋａに接触し、かつ接触部１４ｂｂが突出部３ｋの後面３ｋｂに接触している状態を示す図であり、（ｂ）は接触部１４ａｂが第２被摺動部９ｈの前面９ｈａに接触し、かつ接触部１４ｂｂが突出部３ｋの後面３ｋｂに接触している状態を示す図であり、（ｃ）は接触部１４ａｂが第２被摺動部９ｈの前面９ｈａに接触し、かつ接触部１４ｂｂが第２被摺動部９ｈの後面９ｈｂに接触している状態を示す図である。
＜閉動作＞
まず、スイッチ１Ｄの閉動作について説明する。
【０１１１】
スイッチ１Ｄにおける閉動作を行う前には、図１３の（ａ）に示すように、摺動子１０がコイルばね７に付勢されており、摺動子１０が上方の初期位置（以降では、第１位置とも呼称する）に位置している。この状態においては、第１可動接触部１４ａの接触部１４ａｂが突出部３ｋの前面３ｋａに接触し、第２可動接触部１４ｂの接触部１４ｂｂが突出部３ｋの後面３ｋｂに接触している。このため、第２固定端子９と摺動子１０とは電気的に遮断されており、第１固定端子８と第２固定端子９との間が通電していない状態（すなわち、スイッチ１Ｄが絶縁状態）となっている。
【０１１２】
次に、外部から押ボタン４の被押圧部４ｂを押圧する。これにより、摺動子１０が押ボタン４により押圧され、コイルばね７の付勢力に抗して下方に移動する。摺動子１０が下方に移動すると、図１３の（ｂ）に示すように、摺動子１０は、接触部１４ａｂが第２被摺動部９ｈの前面９ｈａに接触し突出部３ｋの前面３ｋａから離れる位置（以降では、第２位置と呼称する）に移動する。摺動子１０が第２位置に移動すると、接触部１４ａｂが第２被摺動部９ｈの前面９ｈａと接触するので、第２固定端子９と摺動子１０とが電気的に接続する。その結果、第１固定端子８と第２固定端子９との間が通電している状態（すなわち、スイッチ１Ｄが通電状態）となる。
【０１１３】
次に、押ボタン４の被押圧部４ｂをさらに押圧する。これにより、摺動子１０がさらに下方に移動し、図１３の（ｃ）に示すように、摺動子１０は、接触部１４ｂｂが第２被摺動部９ｈの後面９ｈｂに接触し突出部３ｋの後面３ｋｂから離れる位置（以降では、第３位置と呼称する）に移動する。
【０１１４】
さらに、押ボタン４の被押圧部４ｂを押圧すると、摺動子１０はがさらに下方に移動する。この間においては、接触部１４ａｂが第２被摺動部９ｈの前面９ｈａを摺動し、接触部１４ｂｂが第２被摺動部９ｈの後面９ｈｂを摺動する。以上により、スイッチ１Ｄの閉動作が完了する。以降では、押ボタン４が十分に押し込まれ、閉動作が完了する位置を第４の位置とする。
＜開動作＞
次に、スイッチ１Ｄの開動作について説明する。
【０１１５】
スイッチ１Ｄの開動作を行う前には、押ボタン４の被押圧部４ｂが下方に押しこまれた状態となっている（すなわち、第４の位置に位置している）。すなわち、接触部１４ａｂが第２被摺動部９ｈの前面９ｈａに接触しており、接触部１４ｂｂが第２被摺動部９ｈの後面９ｈｂと接触した状態となっており、第１固定端子８と第２固定端子９との間が通電している状態となっている。
【０１１６】
この状態において、押ボタン４の被押圧部４ｂへの押圧力を解除する。これにより、被押圧部４ｂによる摺動子１０への下方への押圧が解除されるので、摺動子１０はコイルばね７の付勢力により上方に移動する。
【０１１７】
摺動子１０が上方に移動すると、図１３の（ｂ）に示すように、まず、摺動子１０は、接触部１４ｂｂが突出部３ｋの後面３ｋｂと接触し第２被摺動部９ｈの後面９ｈｂから離れる位置（第２位置）へ移動する。摺動子１０が第２位置に移動しても、接触部１４ａｂが第２被摺動部９ｈの前面９ｈａと接触しているので、第１固定端子８と第２固定端子９との間が通電している状態（すなわち、スイッチ１Ａが導通状態）となっている。
【０１１８】
さらに摺動子１０が上方に移動すると、接触部１４ａｂが突出部３ｋの前面３ｋａに接触し第２被摺動部９ｈの前面９ｈａから離れる。その結果、接触部１４ａｂが突出部３ｋの前面３ｋａに接触し、かつ接触部１４ｂｂが突出部３ｋの後面３ｋｂに接触した状態となるので、第２固定端子９と摺動子１０との電気的接続が遮断され、第１固定端子８と第２固定端子９との間が通電していない状態（すなわち、スイッチ１Ｄが絶縁状態）となる。
【０１１９】
さらに摺動子１０が上方に移動すると、図１３の（ａ）に示すように、摺動子１０は、初期位置（第１位置）に移動する。以上により、スイッチ１Ｄの開動作が完了する。
【０１２０】
以上のように、スイッチ１Ｄでは、開動作および閉動作において、スイッチ１Ｄの導通状態と絶縁状態とが切り替わる位置は、第２被摺動部９ｈの前面９ｈａと突出部３ｋの前面３ｋａとの境界となる。したがって、開動作および閉動作の両方において、常開固定接点部の第１常開固定接点部Ｄ３側でアーク放電が発生する。すなわち、接触部１４ｂｂが第２常開固定接点部Ｄ４における導通と絶縁とを切り替える位置（すなわち、第２被摺動部９ｈの後面９ｈｂと突出部３ｋの後面３ｋｂとの境界）にあるときには、接触部１４ａｂが第２被摺動部９ｈの前面９ｈａに接触しており、摺動子１０と第２固定端子９とが同電位となっている。そのため、第２常開固定接点部Ｄ４において、アーク放電が発生しない。その結果、第２常開固定接点部Ｄ４および第２可動接触部１４ｂの接触部１４ｂｂがアーク放電により消耗することを防ぐことができる。また、第１常開固定接点部Ｄ３側においてアーク放電により発生した消耗粉が第１常開固定接点部Ｄ３側の反対側である第２常開固定接点部Ｄ４側に移動しにくい。それゆえ、スイッチ１Ｄが導通不良および絶縁不良になることを防ぐことができる。
【０１２１】
〔実施形態３〕
本発明の他の実施形態について、図１４に基づいて説明すれば、以下のとおりである。なお、説明の便宜上、前記実施形態にて説明した部材と同じ機能を有する部材については、同じ符号を付記し、その説明を省略する。
【０１２２】
図１４は、摺動子１０が押ボタン４により押圧されていない状態における、スイッチ１Ｅの摺動子１０および常開固定接点部の断面図である。
【０１２３】
スイッチ１Ｅは、図１４に示すように、実施形態２におけるスイッチ１Ｃの突出部３ｊに代えて、突出部３ｍを備えている。
【０１２４】
導電性を有する第２被摺動部９ｇの前面９ｇａ（第１導通領域）、および絶縁性を有する突出部３ｍの前面３ｍａ（第１絶縁領域）は、スイッチ１Ｅにおいて、第１常開固定接点部Ｄ１として機能する。また、導電性を有する第２被摺動部９ｇの後面９ｇｂ（第２導通領域）、および絶縁性を有する突出部３ｍの後面３ｍｂ（第２絶縁領域）は、スイッチ１Ｅにおいて、第２常開固定接点部Ｄ２として機能する。第１常開固定接点部Ｄ１と、第２常開固定接点部Ｄ２とによって、スイッチ１Ｅにおける常開固定接点部（開閉接点部）が構成されている。
【０１２５】
スイッチ１Ｅは、図１４に示すように、摺動子１０が押ボタン４により押圧されていない位置（初期位置）にあるときに、摺動子１０が突出部３ｍと乖離するようになっている。これにより、摺動子１０が初期位置にある状態における、スイッチ１Ｅの絶縁性を向上させることができる。
【０１２６】
また、スイッチ１Ｅでは、摺動子１０が初期位置から移動する方向とは逆方向（すなわち、上方向）に向かうにつれて、突出部３ｍの上部において前面３ｍａと後面３ｍｂとの間の距離が小さくなる形状となっている。これにより、摺動子１０が押ボタン４により押圧されて初期状態から下方に移動するときに、接触部１３ａｂおよび接触部１３ｂｂが、突出部３ｍをスムーズに挟むことができるようになっている。
【０１２７】
〔実施形態４〕
本発明の他の実施形態について、図１５に基づいて説明すれば、以下のとおりである。なお、説明の便宜上、前記実施形態にて説明した部材と同じ機能を有する部材については、同じ符号を付記し、その説明を省略する。
【０１２８】
本実施形態におけるスイッチ１Ｆは、実施形態１における可動接点部１３の代わりに、可動接点部１５を備えている。
【０１２９】
図１５は、スイッチ１Ｆにおける、摺動子１０およびベース３の基部３ｂの上部の正面図である。
【０１３０】
可動接点部１５は、第１可動接触部１５ａを備えている。第１可動接触部１５ａは、連結部１１の左端から下方に向かって延びるアーム部１５ａａと、アーム部１５ａａの先端に設けられ、第２被摺動部９ｅの前面９ｅａに接触する２つの接触部（第１摺動部）１５ａｂ・１５ａｃとを備えている。接触部１５ａｂ・１５ａｃは、左右方向において互いに離れて形成されている。
【０１３１】
上記の構成により、スイッチ１Ｆでは、可動接点部１５が、接触部１５ａｂおよび接触部１５ａｃの２箇所において、第２被摺動部９ｅの前面９ｅａに接触することができるようになっている。これにより、例えば、接触部１５ａｂと第２被摺動部９ｅの前面９ｅａとの間に異物が存在することに起因して接触部１５ａｂと第２被摺動部９ｅの前面９ｅａとの間で電気的接続が行えない場合においても、接触部１５ａｃと第２被摺動部９ｅの前面９ｅａとの間において電気的接続を行うことができる。したがって、可動接点部１５と第２被摺動部９ｅの前面９ｅａとの接触の信頼性を向上させることができる。その結果、スイッチ１Ｆの信頼性を向上させることができる。
【０１３２】
なお、図示していないが、可動接点部１５は、第２可動接触部が２つの接触部を備える構成となっている。
【０１３３】
なお、本実施形態では、第１可動接触部１５ａが２つの接触部１５ａｂ・１５ａｃを備える構成であったが、これに限られるものではない。すなわち、第１可動接触部１５ａが３つ以上の接触部を備える構成であってもよい。
【０１３４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１３５】
１Ａ〜１Ｆ                              スイッチ
３ｈａ、３ｉａ、３ｊａ、３ｋａ、３ｍａ  前面（第１絶縁領域）
３ｈｂ、３ｉｂ、３ｊｂ、３ｋｂ、３ｍｂ  後面（第２絶縁領域）
４                                      押ボタン（操作部材）
９ｅａ、９ｆａ、９ｇａ、９ｈａ          前面（第１導通領域）
９ｅｂ、９ｆｂ、９ｇｂ、９ｈｂ          後面（第２導通領域）
１３〜１５                              可動接点部
１３ａｂ、１４ａｂ、１５ａｂ、１５ａｃ  接触部（第１摺動部）
１３ｂｂ、１４ｂｂ                      接触部（第２摺動部）
Ｃ１、Ｃ３                              第１常閉固定接点部（開閉接点部、表面）
Ｃ２、Ｃ４                              第２常閉固定接点部（開閉接点部、裏面）
Ｄ１、Ｄ３                              第１常開固定接点部（開閉接点部、表面）
Ｄ２、Ｄ４                              第２常開固定接点部（開閉接点部、裏面）
【図１】
2018107025.tif 000003
【図２】
2018107025.tif 000004
【図３】
2018107025.tif 000005
【図４】
2018107025.tif 000006
【図５】
2018107025.tif 000007
【図６】
2018107025.tif 000008
【図７】
2018107025.tif 000009
【図８】
2018107025.tif 000010
【図９】
2018107025.tif 000011
【図１０】
2018107025.tif 000012
【図１１】
2018107025.tif 000013
【図１２】
2018107025.tif 000014
【図１３】
2018107025.tif 000015
【図１４】
2018107025.tif 000016
【図１５】
2018107025.tif 000017